(57)【要約】【課題】  構造が簡単で、簡単に組み立てることができ、しかも瓶容器を安定して保持することができる中仕切り箱を提供する。【解決手段】  瓶容器を収容する中仕切り箱であって、板紙・ダンボールからなる基材の中央部にＨ字形状の切り込み部を有し、横折線を介して上方向及び下方向に折込み、上方向では瓶容器の首部を保持する保持部を形成し、下方向では瓶容器の底部を保持する保持部を形成すると共に、縦折線を介して左右方向に側板部と底板部とをそれぞれ連接して構成される。また、瓶容器の保持部は、前記Ｈ字形状の切り込み部の上下に設けられ、左右対称に形成されたＳ字状の切り込み部と、該切り込み部の中央に横折線を介して設けられた切り込み片により形成される。 【選択図】      図１
0003126422.tif 000002
【実用新案登録請求の範囲】
【請求項１】
瓶容器を収容する中仕切り箱であって、板紙・ダンボールからなる基材の中央部にＨ字形状の切り込み部を有し、横折込み線部を介して上方向及び下方向に折込み、上方向では瓶容器の首部を保持する保持部を形成し、下方向では瓶容器の底部を保持する保持部を形成すると共に、縦折込み線部を介して左右方向に側板部と底板部とをそれぞれ連接して構成したことを特徴とする中仕切り箱。
【請求項２】
前記瓶容器の保持部は、前記Ｈ字形状の切り込み部の上下に設けられ、左右対称に形成されたＳ字形状の切り込み部と、該切り込み部の中央に横折込み線部を介して設けられた切り込み部により形成されることを特徴とする請求項１記載の中仕切り箱。
【考案の詳細な説明】
【技術分野】
【０００１】
本考案は、焼酎、ウイスキー等の贈答用箱に使用する瓶容器の中仕切り箱に関するものである。
【背景技術】
【０００２】
従来より、瓶容器を入れて贈答用に使用する箱には、高級感を演出すると同時に瓶容器の安定した保持機能が要求されてきた。その為瓶容器を保持する内箱或いは中仕切り箱は、瓶容器の形状に合わせて切り込みや差込片を組み合わせて組み立てる煩雑な作業を必要とした。しかも差込片等の複数の部材を必要とするため高価であるという問題点もあった。
【０００３】
これら問題点を解決するため、１枚の基材からなり天板、側板、底板、仕切板で構成された逆台形の組み合わせよって強度を高めた仕切り箱が、提案されている（特許文献１参照。）。また、保持板の瓶肩部の接触部分を瓶肩形状に合わせた切込み線とした贈答箱中仕切りも提案されている（特許文献２参照。）。
【特許文献１】実公平２−２１３７２号公報
【特許文献２】実用新案登録第３００００１２号公報
【考案の開示】
【考案が解決しようとする課題】
【０００４】
しかし、上記の特許文献１に記載されている瓶容器の中仕切箱の場合、台形の組み合わせによって、仕切り箱本体の強度を上げるものであるが、箱を立てた場合には何らかの衝撃で瓶容器が倒れる虞があった。
【０００５】
また、上記の特許文献２に記載されている贈答箱中仕切りの場合、１枚の基板を折り曲げで構成するものであるが、瓶容器を寝せた状態で保持することを前提としており、上記の特許文献１と同様に箱を立てた場合には何らかの衝撃で瓶容器が倒れる危険性のあるものであった。
【０００６】
本考案は、上記問題点に鑑みなされたものであり、構造が簡単で、簡単に組み立てることができ、しかも瓶容器を安定して保持することができ中仕切り箱を提供するものである。
【課題を解決するための手段】
【０００７】
このため本考案は、瓶容器を収容する中仕切り箱であって、板紙・ダンボールからなる基材の中央部にＨ字形状の切り込み部を有し、横折込み線部を介して上方向及び下方向に折込み、上方向では瓶容器の首部を保持する保持部を形成し、下方向では瓶容器の底部を保持する保持部を形成すると共に、縦折込み線部を介して左右方向に側板部と底板部とをそれぞれ連設して構成したことをとから構成されたことを第１の特徴とする。
【０００８】
また、前記瓶容器の保持部は、前記Ｈ字形状の切り込み部の上下に設けられ、左右対称に形成されたＳ字形状の切り込み部と、該切り込み部の中央に横折込み線部を介して設けられた切り込み部により形成されることを第２の特徴とする。
【考案の効果】
【０００９】
本考案の中仕切り箱は、以上のように構成されているので次のような優れた効果を有する。
（１）１枚の板紙・ダンボールからなる基材に切り込みや折込み線部を形成し、この折込み線部に沿って折り込むことによってワンタッチで中仕切り箱を形成できるという優れた効果がある。
（２）また、瓶容器の首部と底部がそれぞれＳ字状の切り込み部によって保持されており、仮に箱を立てたとしても瓶容器が転倒することもなく安全であるという優れた効果がある。
【考案を実施するための最良の形態】
【００１０】
以下、本考案の実施の形態を、図面に示す実施例に基づいて説明するが、本考案が本実施例に限定されないことは言うまでもない。図１は本考案に係る中仕切り箱の一実施例を示す展開平面図、図２は図１を組み立てた状態を示す平面図、図３は図２の斜視図である。
【実施例】
【００１１】
図１、図２に示すように、本考案の中仕切り箱１は１枚の板紙・ダンボールからなり、上板２の中央部にＨ字形状の切り込み３が形成され、切り込み３の上方及び下方には横折込み線部４、５、１１、１２が形成され、この横折込み線部に沿って折込むことによって起立面２ａ、２ｆ及び支持面２ｂ、２ｅが形成される。また、上板２上部の中央部にはＳ字形状切り込み部６が左右対称に形成され、Ｓ字形状切り込み部６の上部及び下部には横折込み線部７、１０が、また中央部には切り込み部８と横折込み線部９が連接して形成され、切り込み部８近傍を押し込むことにより瓶容器の首部保持部２ｃと起立面２ｄとが形成される。同様に上板２下部の中央部にはＳ字形状切り込み部１３が左右対称に形成され、Ｓ字形状切り込み部１３の中央部及び下部には横折込み線部１６、１４が形成され、また横折込み線部１６の中央には切り込み１５が形成されこの切り込み１５近傍を押し込むことにより瓶容器を保持する底面保持部２ｇが形成される。そして、上板２の左右には縦折込み線部１８、１９が形成され、また上下には横折込み線部１７が形成され、それぞれ横側板２０、底面保持板２２、縦側板２１が連設されている。ここで、上記した折込み線部は任意の位置及び寸法にて切り込みを形成させたものであってもかまわない。
【００１２】
次に図１乃至図３によって本考案の中仕切り箱の組み立て方を説明すると、まず上板２の上下、左右に形成した縦折込み線部１７、横折込み線部１８に沿って後ろ方向に直角に折り返し、横側板２０、縦側板２１を形成する。次に横折込み線部１９に沿って直角に折込み、底面保持板２２を形成する。そして、上板２の中央部に形成されたＨ字形状切り込み部３の上部起立面２ａと下部起立面２ｆをそれぞれ下方に押し込み、支持面２ｂ、２ｅと底面保持板２２とを当接させると共に、首部保持部２ｃと起立面２ｄによって瓶容器の首部の保持部を形成し、さらに支持面２ｅと底面保持部２ｇによって瓶容器の底部の保持部を形成する。
【００１３】
上記の構成による、本考案の中仕切り箱１に瓶容器を挿入すると、瓶容器の首部は上記首保持部のＳ字形状切り込み部６によって、安定して保持された状態となり、さらに瓶容器の底部は上記底部の保持部に形成されたＳ字形状切り込み部１３と底面保持部２ｇによって安定して保持されるため、例えば瓶容器を立てた状態にしても瓶容器が転倒することがない。しかも支持面２ｂ、２ｅと底面保持板２２とを当接させる構成であるため、瓶容器を安定して保持するクッション作用があり瓶の内容物を良好に保持できる。
【００１４】
以上、本考案による中仕切り箱によれば、構造が簡単で、簡単に組み立てることができ、しかも瓶容器を安定して保持することができる。
【図面の簡単な説明】
【００１５】
【図１】本考案に係るの一実施例を示す斜視図である。
【図２】図１の部分拡大断面図である。
【図３】本考案に係るの使用状態を示す説明図である。
【符号の説明】
【００１６】
１                  中仕切り箱
２                  上板
２ａ、２ｄ、２ｆ    起立面
２ｂ、２ｅ          支持面
２ｃ                首部保持部
２ｄ                底面保持部
３、８、１５        切り込み
４、５、７、９      横折込み線部
６、１３            Ｓ字形状切り込み部
１０、１１、１２      横折込み線部
１４、１６、１７      横折込み線部
１８、１９            縦折込み線部
２０                  横側板
２１                  縦側板
２２                  底面保持板
【図１】
0003126422.tif 000003
【図２】
0003126422.tif 000004
【図３】
0003126422.tif 000005